(57)【特許請求の範囲】
【請求項１】
光送信装置により、多チャンネル映像信号を光信号に変換し、光ファイバを介して、変換された光信号を光受信装置へ伝送する多チャンネル映像光伝送システムであって、
前記光送信装置は、
入力された多チャンネル映像信号に重畳するパイロット信号を発生するパイロット信号発生手段と、
発生されたパイロット信号と入力された多チャンネル映像信号とが重畳された信号を、一括してＦＭ信号に変調するＦＭ変調手段と、
変調されたＦＭ信号を光信号に変換し、前記光ファイバへ入光する電気−光変換手段とを備え、
前記光受信装置は、
前記光ファイバにて伝送された光信号を受信して、電気信号のＦＭ信号に変換する光−電気変換手段と、
前記光−電気変換手段より入力されたＦＭ信号を増幅する増幅手段と、
前記増幅手段より入力されたＦＭ信号を、多チャンネル映像信号とパイロット信号とが重畳された信号にＦＭ復調するＦＭ復調手段とを備え、
前記パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする多チャンネル映像光伝送システム。
【請求項２】
光送信装置により、多チャンネル映像信号を光信号に変換し、光ファイバを介して、変換された光信号を光受信装置へ伝送する多チャンネル映像光伝送システムであって、
前記光送信装置は、
入力された多チャンネル映像信号に重畳するパイロット信号を発生するパイロット信号発生手段と、
発生されたパイロット信号と入力された多チャンネル映像信号とが重畳された信号を光信号に変換し、前記光ファイバへ入光する電気−光変換手段とを備え、
前記光受信装置は、
前記光ファイバにて伝送された光信号を受信して、多チャンネル映像信号とパイロット信号とが重畳された電気信号に変換する光−電気変換手段と、
前記光−電気変換手段より入力された多チャンネル映像信号とパイロット信号とが重畳された電気信号を増幅する増幅手段とを備え、
前記パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする多チャンネル映像光伝送システム。
【請求項３】
多チャンネル映像光伝送システムに使用され、多チャンネル映像信号を光信号に変換し、光ファイバを介して、変換された光信号を光受信装置へ伝送する光送信装置であって、
入力された多チャンネル映像信号に重畳するパイロット信号を発生するパイロット信号発生手段と、
発生されたパイロット信号と入力された多チャンネル映像信号とが重畳された信号を、一括してＦＭ信号に変調するＦＭ変調手段と、
変調されたＦＭ信号を光信号に変換し、前記光ファイバへ入光する電気−光変換手段とを備え、
前記パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする光送信装置。
【請求項４】
多チャンネル映像光伝送システムに使用され、多チャンネル映像信号を光信号に変換し、光ファイバを介して、変換された光信号を光受信装置へ伝送する光送信装置であって、
入力された多チャンネル映像信号に重畳するパイロット信号を発生するパイロット信号発生手段と、
発生されたパイロット信号と入力された多チャンネル映像信号とが重畳された信号を光信号に変換し、前記光ファイバへ入光する電気−光変換手段とを備え、
前記パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする光送信装置。
【発明の詳細な説明】
【０００１】
【発明の属する技術分野】
本発明は、ケーブルテレビ等で用いられる多チャンネルの映像信号を光ファイバによって伝送する多チャンネル映像光伝送システム及び光送信装置並びに光受信装置に関する。
【０００２】
【従来の技術】
図３は、従来の多チャンネル映像光伝送システムの一構成例を示すブロック図である。この多チャンネル映像光伝送システムの送信側である光送信装置１２は、ある一定の周波数の正弦波信号であるパイロット信号を発生するパイロット信号発生部１１と、このパイロット信号と入力した多チャンネル映像信号とが重畳された信号を一括してＦＭ信号に変換するＦＭ変調器２と、このＦＭ信号を光信号に変換し、光ファイバ１４へ入光する半導体レーザ３とを有している。
【０００３】
また、多チャンネル映像光伝送システムの受信側である光受信装置１３は、光ファイバ１４にて伝送された光信号を電気のＦＭ信号に変換する受光素子４と、この受光素子４が出力したＦＭ信号を増幅する増幅器５と、増幅器５が出力したＦＭ信号を多チャンネル映像信号とパイロット信号とが重畳された信号にＦＭ復調し、光受信装置１３より多チャンネル映像信号として出力させるためのＦＭ復調器６と、ＦＭ復調器６の出力信号よりパイロット信号のみを抽出し、そのレベルをモニタするパイロットレベル検出回路７と、パイロットレベル検出回路７が検出したパイロット信号レベルが異常の場合に、アラームを発出させるアラーム発出回路８とを有している。
【０００４】
さらに、受信側のＦＭ復調器６からの出力信号である多チャンネル映像信号の１チャンネルを選択してベースバンドの映像信号に変換するチューナ９と、このチューナ９より出力されるベースバンドの映像信号を復調して表示するＴＶモニタ１０とを備えている。
【０００５】
次に、この多チャンネル映像光伝送システムの具体的な動作について説明する。この多チャンネル映像光伝送システムの送信側である光送信装置１２では、入力される多チャンネルの映像信号と、ある一定周波数の正弦波信号を生成するパイロット信号発生部１１より出力されるパイロット信号とを重畳し、さらに、その多チャンネル映像信号にパイロット信号を重畳した信号を、ＦＭ変調器２に入力してＦＭ信号に変換する。そして、そのＦＭ信号を半導体レーザ３に入力して光信号に変換し、変換された光信号を、光ファイバ１４を通じて受信側である光受信装置１３に伝送する。
【０００６】
また、光受信装置１３では、入力された光信号が受光素子４にて電気のＦＭ信号に再変換され、さらに、増幅部５にてＦＭ信号が増幅される。そして、増幅されたＦＭ信号がＦＭ復調器６に入力されると、このＦＭ復調器６によって、ＦＭ変調器２に入力する前の、元のパイロット信号が重畳された多チャンネル映像信号が得られる。
【０００７】
一方、パイロットレベル検出回路７では、パイロット信号のみを取り出してそのレベルを検出し、そのレベルの異常の有無をアラーム発出回路８に伝達する。そして、アラーム発出回路８では、パイロットレベル検出回路７での検出レベルが異常の時にアラームを発出させる。これにより、光送信装置１２や光受信装置１３や光ファイバ１４での異常発生の有無を確認することができる。
【０００８】
また、光受信装置１３から出力される多チャンネルの映像信号を、チューナ９でチャンネルを選択することにより、チューナ９につながるＴＶモニタ１０にて所望のチャンネルの映像信号を見ることが出来る。
【０００９】
【発明が解決しようとする課題】
しかしながら、上記のような構成で、光送信装置１２のＦＭ変調器２における入力電流(もしくは入力電圧)対出力周波数の特性が非線形である場合や、光受信装置１３のＦＭ復調器６の入力周波数対出力電圧の特性が非線形である場合には、ＦＭ復調器６が出力する多チャンネル映像信号に、一般的にＣＳＯ、ＣＴＢと呼ばれる相互変調歪み（以降、歪みと言う）が生じる。
【００１０】
さらに、光送信装置１２の半導体レーザ３や、光受信装置１３の受光素子４及び増幅部５での群遅延偏差がある場合にも、同様に、ＦＭ復調器６が出力する多チャンネル映像信号に歪みが生じ、結果的に各チャンネル帯域内に歪みが生じる。    特に、パイロット信号がある多チャンネル映像光伝送システムの場合には、パイロット信号と多チャンネルの映像信号とに歪みが生じる。
【００１１】
図４は、周波数軸上に多重化された多チャンネル映像信号とパイロット信号を示す多チャンネル映像信号のスペクトラムの一例である。また、図５は、図４に示す多チャンネル映像信号における、１チャンネルの映像キャリアと歪みのスペクトラムの拡大図である。
【００１２】
図４に示すような多チャンネル映像信号を伝送すると、ＦＭ復調器６の出力では、各チャンネル周波数とパイロット信号の周波数の和や差に歪みが発生する。すなわち、図５に示すように、パイロット信号に起因する歪みの周波数が映像チャンネルの映像帯域内にあると、ＴＶモニタ１０で映像を復調した際に、映像に斜め縞や横縞、あるいは縦縞などとなって表れ、映像を妨害する原因となる。図５の例では、周波数faの映像キャリアの映像帯域内にある周波数（fn-fp）において、パイロット信号に起因する歪みが発生しているので、映像画面に縞模様が発生する。
【００１３】
本発明は、このような課題を解決するためになされたものであり、その目的は、パイロット信号と多チャンネル映像信号の各周波数の和や差の周波数に発生する歪みの影響によって、ＴＶモニタの映像に斜め縞や横縞や縦縞などが発生しないようにすることにある。
【００１４】
【課題を解決するための手段】
上記の課題を解決するために、本発明の多チャンネル映像光伝送システムは、光送信装置により、多チャンネル映像信号を光信号に変換し、光ファイバを介して、変換された光信号を光受信装置へ伝送する多チャンネル映像光伝送システムであって、光送信装置は、入力された多チャンネル映像信号に重畳するパイロット信号を発生するパイロット信号発生手段と、発生されたパイロット信号と入力された多チャンネル映像信号とが重畳された信号を、一括してＦＭ信号に変調するＦＭ変調手段と、変調されたＦＭ信号を光信号に変換し、光ファイバへ入光する電気−光変換手段とを備えている。また、光受信装置は、光ファイバにて伝送された光信号を受信して、電気信号のＦＭ信号に変換する光−電気変換手段と、光−電気変換手段より入力したＦＭ信号を増幅する増幅手段と、増幅手段より入力したＦＭ信号を、多チャンネル映像信号とパイロット信号とが重畳された信号にＦＭ復調するＦＭ復調手段とを備えている。このような構成において、パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする。
【００１５】
すなわち、本発明の多チャンネル映像光伝送システムは、光送信装置のパイロット信号発生手段にＦＭ変調機能を付加することにより、発生するパイロット信号を周波数変調している。これによって、パイロット信号と多チャンネル映像信号の各周波数の和や差の周波数に生じる歪みによって発生する映像の斜め縞や横縞や縦縞などを見えにくくしている。したがって、パイロット信号と多チャンネルの映像信号とに相互変調歪みが生じても、ＴＶモニタで映像を復調する際に、映像画面に対して斜め縞や横縞や縦縞など縞模様などが表れることはなくなる。
【００１６】
また、本発明の多チャンネル映像光伝送システムは、光送信装置により、多チャンネル映像信号を光信号に変換し、光ファイバを介して、変換された光信号を光受信装置へ伝送する多チャンネル映像光伝送システムであって、光送信装置は、入力された多チャンネル映像信号に重畳するパイロット信号を発生するパイロット信号発生手段と、発生されたパイロット信号と入力された多チャンネル映像信号とが重畳された信号を光信号に変換し、光ファイバへ入光する電気−光変換手段とを備えている。さらに、光受信装置は、光ファイバにて伝送された光信号を受信して、多チャンネル映像信号とパイロット信号とが重畳された電気信号に変換する光−電気変換手段と、光−電気変換手段より入力された多チャンネル映像信号とパイロット信号とが重畳された電気信号を増幅する増幅手段とを備えている。このような構成において、パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする。
【００１７】
したがって、本発明の多チャンネル映像光伝送システムは、前記の発明で構成されているような、光送信装置のＦＭ変調手段と光受信装置のＦＭ復調手段とを備えなくても実現することができる。すなわち、光送信装置のパイロット信号発生手段にＦＭ変調機能を付加することにより、発生するパイロット信号を周波数変調すれば、パイロット信号と多チャンネル映像信号の各周波数の和や差の周波数に生じる歪みによって発生する映像の縞模様を見えにくくすることができる。
【００１８】
また、本発明の光送信装置は、多チャンネル映像光伝送システムに使用され、多チャンネル映像信号を光信号に変換し、光ファイバを介して、変換された光信号を光受信装置へ伝送する光送信装置であって、入力された多チャンネル映像信号に重畳するパイロット信号を発生するパイロット信号発生手段と、発生されたパイロット信号と入力された多チャンネル映像信号とが重畳された信号を、一括してＦＭ信号に変調するＦＭ変調手段と、変調されたＦＭ信号を光信号に変換し、前記光ファイバへ入光する電気−光変換手段とを備えている。そして、パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする光送信装置である。
【００２０】
また、本発明の光送信装置は、多チャンネル映像光伝送システムに使用され、多チャンネル映像信号を光信号に変換し、光ファイバを介して、変換された光信号を光受信装置へ伝送する光送信装置であって、入力された多チャンネル映像信号に重畳するパイロット信号を発生するパイロット信号発生手段と、発生されたパイロット信号と入力された多チャンネル映像信号とが重畳された信号を光信号に変換し、前記光ファイバへ入光する電気−光変換手段とを備えている。そして、パイロット信号発生手段は、ＦＭ変調機能を有し、パイロット信号の周波数を変調することにより、多チャンネル映像信号の各キャリアとパイロット信号との和及び差の組み合わせの周波数に発生する相互変調歪みの周波数を変調することを特徴とする光送信装置である。
【００２２】
【発明の実施の形態】
以下、図面を用いて、本発明における多チャンネル映像光伝送システムの幾つかの実施の形態を詳細に説明する。先ず、本発明における多チャンネル映像光伝送システムの第１の実施の形態について述べる。図１は、本発明の第１の実施の形態における多チャンネル映像光伝送システムの構成図である。
【００２３】
すなわち、第１の実施の形態の多チャンネル映像光伝送システムは、図３に示す従来の構成におけるパイロット信号発生部１１を、図１に示すように、ＦＭ変調機能付きパイロット信号発生部１に変えることで、発生するパイロット信号を周波数変調している。これにより、パイロット信号と多チャンネル映像信号の各周波数の和や差の周波数に生じる歪みによって発生する映像の斜め縞や横縞や縦縞などを見えにくくしている。
【００２４】
図１において、送信側の光送信装置１２ａにおいては、周波数変調されたある中間周波数をもつパイロット信号を出力するＦＭ変調機能付きパイロット信号発生部1と、多チャンネル映像信号にパイロット信号を重畳した信号を一括してＦＭ信号に変換するＦＭ変調器２と、ＦＭ信号を光信号に変換する半導体レーザ３とによって構成されている。
【００２５】
また、受信側の光受信装置１３においては、光信号を電気のＦＭ信号に再変換する受光素子４と、受光素子４が出力した電気のＦＭ信号を増幅する増幅部５と、ＦＭ信号をＦＭ復調してパイロット信号が多重された多チャンネル映像信号を出力するＦＭ復調器６と、ＦＭ復調器６の出力したパイロット信号が多重された多チャンネル映像信号からパイロット信号の強度レベルをモニタするパイロットレベル検出回路７と、パイロットレベル検出回路７が検出したパイロットレベルが異常の場合にアラームを発出するアラーム発出回路８とによって構成されている。
【００２６】
また、光受信装置１３の出力信号から所望のチャンネルを選択して、ベースバンドの映像信号を出力するチューナ９と、ベースバンドの映像信号を復調して表示するＴＶモニタ１０とを備えている。
【００２７】
次に、図１に示す第１の実施の形態の多チャンネル映像光伝送システムの具体的な動作を説明する。この多チャンネル映像光伝送システムの送信側である光送信装置１２ａでは、入力される多チャンネルの映像信号と、周波数変調されたある中間周波数をもつパイロット信号信号を出力するＦＭ変調機能付きパイロット信号発生部１より出力されるパイロット信号とを重畳し、多チャンネル映像信号にパイロット信号を重畳した信号をＦＭ変調器２に入力してＦＭ信号に変換する。
【００２８】
さらに、そのＦＭ信号を半導体レーザ３に入力し光信号に変換し、その光信号を、光ファイバ１４を通じて受信側の光受信装置１３に伝送する。そして、光受信装置１３では、受光素子４にて光信号を電気のＦＭ信号に再変換し、増幅部５でＦＭ信号を増幅する。さらに、ＦＭ信号はＦＭ復調器６によって復調され、ＦＭ変調器２に入力する前の、元のパイロット信号が重畳された多チャンネルの映像信号が得られる。
【００２９】
また、パイロットレベル検出回路7では、パイロット信号のみを取り出してそのレベルを検出し、そのレベルが異常であるか否かをアラーム発出回路８に伝達する。さらに、アラーム発出回路８では、パイロットレベル検出回路7での検出レベルが異常時にアラームを発出して、光送信装置１２ａや光受信装置１３や光ファイバ１４での異常を確認することができるようになっている。
【００３０】
さらに、光受信装置１３から出力される多チャンネルの映像信号は、チューナ９にてチャンネルを選択することにより、所望のチャンネルの映像信号が選択され、ＴＶモニタ１０にて所望のチャンネルの映像信号を見ることが出来る。
【００３１】
このように、第１の実施の形態における多チャンネル映像光伝送システムにおいて、パイロット信号を周波数変調することにより、パイロット信号と多チャンネル映像信号の各周波数の和や差の周波数に発生する歪みによって生じるＴＶモニタ１０上の映像の斜め縞や横縞や縦縞などを抑圧することができる。
【００３２】
次に、本発明における多チャンネル映像光伝送システムの第２の実施の形態について説明する。図２は、本発明の第２の実施の形態における多チャンネル映像光伝送システムの構成図である。
【００３３】
すなわち、第２の実施の形態の多チャンネル映像光伝送システムは、図１に示す第１の実施の形態における光送信装置１２ａのＦＭ変調器２を取り除き、さらに、光受信装置１３のＦＭ変調器６を取り除いたものである。したがって、ＦＭ変調機能付きパイロット信号発生部１を備え、発生するパイロット信号を周波数変調しているところは第１の実施の形態と全く同じである。このような構成によって、パイロット信号と多チャンネル映像信号の各周波数の和や差の周波数に生じる歪みによって発生する映像の斜め縞や横縞や縦縞などを見えにくくしている。
【００３４】
すなわち、第２の実施の形態の多チャンネル映像光伝送システムは、送信側の光送信装置１２ｂにおいては、周波数変調されたある中間周波数をもつパイロット信号信号を出力するＦＭ変調機能付きパイロット信号発生部1と、多チャンネル映像信号にパイロット信号を重畳した信号を光信号に変換する半導体レーザ３とによって構成されている。
【００３５】
また、受信側の光受信装置１３においては、光信号を、多チャンネル映像信号にパイロット信号を重畳した電気信号に変換する受光素子４と、受光素子４から出力された、多チャンネル映像信号とパイロット信号とが重畳された電気信号を増幅する増幅部５と、増幅部５から出力されたパイロット信号が多重された多チャンネル映像信号より、パイロット信号の強度レベルをモニタするパイロットレベル検出回路７と、パイロットレベル検出回路７が検出したパイロットレベルが異常の場合にアラームを発出するアラーム発出回路８とによって構成されている。
【００３６】
さらに、光受信装置１３の出力信号から所望のチャンネルを選択して、ベースバンドの映像信号を出力するチューナ９と、ベースバンドの映像信号を復調して表示するＴＶモニタ１０とを備えている。
【００３７】
次に、第２の実施の形態の多チャンネル映像光伝送システムの具体的な動作を説明する。この多チャンネル映像光伝送システムの送信側である光送信装置１２ｂでは、入力される多チャンネルの映像信号と、周波数変調されたある中間周波数をもつパイロット信号を出力するＦＭ変調機能付きパイロット信号発生部1より出力されるパイロット信号とを重畳し、その多チャンネル映像信号にパイロット信号を重畳した信号を半導体レーザ３に入力して光信号に変換する。そして、その光信号を、光ファイバ１４を通じて受信側である光受信装置１３に伝送する。
【００３８】
そして、光受信装置１３では、受光素子４にて、光信号を多チャンネル映像信号にパイロット信号を重畳した電気信号に再変換し、さらに、増幅部５にて、多チャンネル映像信号にパイロット信号を重畳した信号を増幅し、パイロット信号が重畳された多チャンネルの映像信号が得られる。
【００３９】
また、パイロットレベル検出回路７では、パイロット信号のみを取り出してその強度レベルを検出し、そのレベルが異常であるか否かをアラーム発出回路８に伝達する。そして、アラーム発出回路８では、パイロットレベル検出回路７での検出レベルが異常時にアラームを発出し、光送信装置１２ｂや光受信装置１３や光ファイバ１４での異常を確認できるようになっている。
【００４０】
さらに、光受信装置１３から出力される多チャンネルの映像信号は、チューナ９にてチャンネルを選択することにより、所望のチャンネルの映像信号が選択され、ＴＶモニタ１０にて所望のチャンネルの映像信号を見ることが出来る。
【００４１】
このような、多チャンネル映像光伝送システムにおいて、パイロット信号を周波数変調することにより、パイロット信号と多チャンネル映像信号の各周波数の和や差の周波数に発生する歪みによって生じるＴＶモニタ１０上の映像の斜め縞や横縞や縦縞等を抑圧することができる。
【００４２】
すなわち、図３に示す従来の構成におけるパイロット信号発生部１１を、図１又は図２に示すように、ＦＭ変調機能付きパイロット信号発生部１に変えることにより、発生するパイロット信号を周波数変調している。これによって、パイロット信号と多チャンネル映像信号の各周波数の和や差の周波数に生じる歪みによって発生する映像の斜め縞や横縞や縦縞などを見えにくくしている。
【００４３】
図６は、従来の多チャンネル映像光伝送システムでの歪みとＴＶモニタの映像例を示す図である。すなわち、同図（ａ）は、映像キャリアと発生した歪みのスペクトラムを示し、同図（ｂ）は、斜め縞が発生したＴＶモニタの映像例を示している。同図（ａ）における映像キャリアの周波数faと歪みの周波数（fn−fp）との差（Δｆ）によって、同図（ｂ）に示すような映像における縞模様の角度が変化する。
【００４４】
図７は、本発明の多チャンネル映像光伝送システムでの歪みとＴＶモニタの映像例を示す図である。すなわち、本発明のように、パイロット信号を周波数変調することにより、歪みはパイロット信号と映像キャリア信号との周波数の和もしくは差に発生する。このため、図７に示すように、歪みも周波数変調されるのでΔｆが変化する。これにより、図６（ｂ）で見られたＴＶモニタ１０上の縞の角度が常に変化し、周波数変調されたパイロット信号の変調周波数が高いと、図７（ｂ）に示すように、ＴＶモニタ１０上で縞は確認出来なくなる。
【００４５】
また、パイロット信号がＦＭ変調されても、パイロット信号の強度電力レベルは変わらないため、従来の構成通りに、パイロットレベル検出回路７によってパイロット信号レベルの異常を確認することが出来る。
【００４６】
以上述べた実施の形態は本発明を説明するための一例であり、本発明は、上記の実施の形態に限定されるものではなく、発明の要旨の範囲で種々の変形が可能である。例えば、上記の実施の形態は、多チャンネル映像光伝送システムについて述べたものであるが、本発明は、上記のような多チャンネル映像光伝送システムを構成する光送信装置や光受信装置単独でも適用されることは言うまでもない。
【００４７】
【発明の効果】
以上説明したように、本発明の多チャンネル映像光伝送システムによれば、パイロット信号を周波数変調することにより、パイロット信号と多チャンネル映像信号の各周波数の和や差の周波数に発生する歪みの周波数が変調されるため、映像キャリアと歪みの周波数間隔が周期的に変動する。このため、ＴＶモニタ上の縞が肉眼で検知出来ないほど早く縞の角度などが変化し、ＴＶモニタ上の映像の斜め縞や横縞や縦縞などを見えなくすることができる。
【図面の簡単な説明】
【図１】本発明の第１の実施の形態における多チャンネル映像光伝送システムの構成図
【図２】本発明の第２の実施の形態における多チャンネル映像光伝送システムの構成図
【図３】従来の多チャンネル映像光伝送システムの一構成例を示すブロック図
【図４】周波数軸上に多重化された多チャンネル映像信号とパイロット信号を示す多チャンネル映像信号のスペクトラムの一例を示す図
【図５】図４に示す多チャンネル映像信号における、１チャンネルの映像キャリアと歪みのスペクトラムの拡大図
【図６】（ａ）は従来の多チャンネル映像光伝送システムでの歪みのスペクトラムを示す図、（ｂ）は斜め縞の発生したＴＶモニタの映像例を示す図
【図７】本発明の多チャンネル映像光伝送システムでの歪みのスペクトラムを示す図、（ｂ）はＴＶモニタの映像例を示す図
【符号の説明】
１  ＦＭ変調機能付きパイロット信号発生部
２  ＦＭ変調器
３  半導体レーザ
４  受光素子
５  増幅部
６  ＦＭ復調部
７  パイロットレベル検出回路
８  アラーム発出回路
９  チューナ
１０  ＴＶモニタ
１１  パイロット信号発生部
１２、１２ａ、１２ｂ  光送信装置
１３、１３ｂ  光受信装置
１４  光ファイバ
【図１】
0003979767.tif 000002
【図２】
0003979767.tif 000003
【図３】
0003979767.tif 000004
【図４】
0003979767.tif 000005
【図５】
0003979767.tif 000006
【図６】
0003979767.tif 000007
【図７】
0003979767.tif 000008